(57)【要約】【課題】一体に強固に組み立てられるハウジングアセンブリ及びその組立方法を提供すること。【解決手段】本発明に係るハウジングアセンブリは、第一ハウジング及び前記第一ハウジングに接合される第二ハウジングを備える。前記第一ハウジング及び前記第二ハウジングのうちの一方には複数の熱溶融用突出部が設けられると共に、他方には前記熱溶融用突出部の数に一致する複数の貫通穴が設けられる。各熱溶融用突出部は、溶かされて前記貫通穴に充填される。【選択図】図２
2012042053.tif 000002
【特許請求の範囲】
【請求項１】
第一ハウジング及び前記第一ハウジングに接合される第二ハウジングを備えるハウジングアセンブリであって、
前記第一ハウジング及び前記第二ハウジングのうちの一方には複数の熱溶融用突出部が設けられると共に、他方には前記熱溶融用突出部の数に一致する複数の貫通穴が設けられ、各前記熱溶融用突出部が溶かされて前記貫通穴に充填されることを特徴とするハウジングアセンブリ。
【請求項２】
一方には複数の熱溶融用突出部が設けられていると共に、他方には前記熱溶融用突出部の数に一致する複数の貫通穴が設けられている第一ハウジング及び第二ハウジングを用意するステップと、
前記第二ハウジングを前記第一ハウジングに接着すると共に、各前記熱溶融用突出部を対応する前記貫通穴に貫通させるステップと、
各前記熱溶融用突出部を溶かして、その溶融体で前記貫通穴を密封するステップと、
を備えることを特徴とするハウジングアセンブリの組立方法。
【請求項３】
前記第二ハウジングが前記第一ハウジングに接着された後、前記第一ハウジング及び前記第二ハウジングの接合体をラミネーション冶具にセットして、このラミネーション冶具を用いて両者を緊密に接合することを特徴とする請求項２に記載のハウジングアセンブリの組立方法。
【発明の詳細な説明】
【技術分野】
【０００１】
本発明は、ハウジングアセンブリ及びその組立方法に関するものである。
【背景技術】
【０００２】
従来の技術において、機械式固定、接着及び溶接などの方法によって２つのハウジングを一体に組み立てる。例えば、金属ハウジング及びプラスチックハウジングを一体に組み立てる場合、通常、接着剤を介して両者を接合する。しかし、２つのハウジングの間の接触面積が小さければ、両者を一体に接着することが難しくなる。さらに、接着剤を介して両者を一体に接合したとしても、その接合力は理想的ではない。
【発明の概要】
【発明が解決しようとする課題】
【０００３】
本発明は、上記の問題点を考慮してなされたものであり、一体に強固に組み立てられるハウジングアセンブリ及びその組立方法を提供することを目的とする。
【課題を解決するための手段】
【０００４】
上記の目的を達成するために、本発明に係るハウジングアセンブリは、第一ハウジング及び前記第一ハウジングに接合される第二ハウジングを備える。前記第一ハウジング及び前記第二ハウジングのうちの一方には複数の熱溶融用突出部が設けられると共に、他方には前記熱溶融用突出部の数に一致する複数の貫通穴が設けられる。各熱溶融用突出部は、溶かされて前記貫通穴に充填される。
【０００５】
また、上記の目的を達成するために、本発明に係るハウジングアセンブリの組立方法は、一方には複数の熱溶融用突出部が設けられていると共に、他方には前記熱溶融用突出部の数に一致する複数の貫通穴が設けられている第一ハウジング及び第二ハウジングを用意するステップと、前記第二ハウジングを前記第一ハウジングに接着すると共に、各熱溶融用突出部を対応する貫通穴に貫通させるステップと、各熱溶融用突出部を溶かして、その溶融体で前記貫通穴を密封するステップと、を備える。
【発明の効果】
【０００６】
従来の技術と比較して、本発明のハウジングアセンブリの組立方法は、まず第一ハウジング及び第二ハウジングを互いに接着して接合する。次に、前記第一ハウジング或いは前記第二ハウジングに予め設けられた熱溶融用突片及び熱溶融用柱体を溶かすことにより、前記第一ハウジング及び前記第二ハウジングを一体に強固に固定する。
【図面の簡単な説明】
【０００７】
【図１】本発明の実施形態に係るハウジングアセンブリの分解図である。
【図２】図１に示したハウジングアセンブリを別の視点から見た分解図である。
【図３】図１に示したハウジングアセンブリの組立図である。
【図４】図３に示したハウジングアセンブリを別の視点から見た立体図である。
【発明を実施するための形態】
【０００８】
図１及び図２に示したように、本発明のハウジングアセンブリ１００は、第一ハウジング１０及び第二ハウジング２０を備える。前記第一ハウジング１０は、第一接合面１２及びこの第一接合面１２に設けられる接着剤塗布エリアＦを備える。前記第二ハウジング２０は、前記第一ハウジング１０の第一接合面１２と向き合うように設けられる第二接合面２２を備える。前記第一接合面１２及び前記第二接合面２２は、前記接着剤塗布エリアＦに塗布される接着剤を介して一体に接着される。
【０００９】
前記第一ハウジング１０には、少なくとも１つの第一貫通穴１４及び少なくとも１つの第二貫通穴１６が設けられている。前記第二ハウジング２０には、少なくとも１つの熱溶融用突片２４及び少なくとも１つの熱溶融用柱体２６が設けられている。前記熱溶融用突片２４及び前記熱溶融用柱体２６の数は、それぞれ前記第一貫通穴１４及び前記第二貫通穴１６の数に一致する。前記熱溶融用突片２４及び前記熱溶融用柱体２６がそれぞれ前記第一貫通穴１４及び前記第二貫通穴１６を貫通して、前記第一ハウジング１０は、前記第二ハウジング２０に固定される。
【００１０】
以下、図３及び図４を参照しながら、本発明のハウジングアセンブリ１００の組立ステップについて詳細に説明する。
【００１１】
ステップ１では、前記第一ハウジング１０の第一接合面１２の接着剤塗布エリアＦに接着剤を塗布してから、前記第二ハウジング２０を前記第一ハウジング１０で被覆して、前記第二接合面２２を前記第一接合面１２に接着すると共に、前記第二ハウジング２０の熱溶融用突片２４及び熱溶融用柱体２６をそれぞれ前記第一ハウジング１０の第一貫通穴１４及び第二貫通穴１６に貫通させる。本実施形態において、前記接着剤塗布エリアＦに塗布される接着剤は、遅乾（Ｄｒｙ  Ｓｌｏｗ）性を有する。
【００１２】
ステップ２では、前記第一ハウジング１０及び前記第二ハウジング２０をラミネーション冶具の上部押圧用ヘッド及び下部押圧用ヘッドの間にセットしてから、このラミネーション冶具を用いて両者を緊密に接合する。前記接着剤が凝固した後、前記第二ハウジング２０が前記第一ハウジング１０に接着される。
【００１３】
ステップ３では、前記熱溶融用突片２４及び前記熱溶融用柱体２６の前記第一ハウジング１０から突出する部分を溶かして、前記熱溶融用突片２４及び前記熱溶融用柱体２６の溶融体でそれぞれ前記第一ハウジング１０の第一貫通穴１４及び第二貫通穴１６を密封する。以上により、前記ハウジングアセンブリ１００の組立が完了する。
【００１４】
また、前記貫通穴１４、１６を前記第二ハウジング２０に設けて、前記熱溶融用突片２４及び前記熱溶融用柱体２６を前記第一ハウジング１０に設けることができる。
【００１５】
本発明の実施形態によると、前記ハウジングアセンブリ１００を組み立てる工程は、まず第一ハウジング１０及び第二ハウジング２０を互いに接着して接合する。次に、前記第一ハウジング１０或いは前記第二ハウジング２０に予め設けられた熱溶融用突片２４及び熱溶融用柱体２６を溶かすことにより、前記第一ハウジング１０及び前記第二ハウジング２０を一体に強固に固定する。
【００１６】
以上、本発明の好適な実施形態について詳細に説明したが、本発明は前記実施形態に限定されるものではなく、本発明の範囲内で種々の変形又は修正が可能であり、該変形又は修正もまた、本発明の特許請求の範囲内に含まれるものであることは言うまでもない。
【符号の説明】
【００１７】
１０                  第一ハウジング
１２                  第一接合面
１４                  第一貫通穴
１６                  第二貫通穴
２０                  第二ハウジング
２２                  第二接合面
２４                  熱溶融用突片
２６                  熱溶融用柱体
１００                ハウジングアセンブリ
【図１】
2012042053.tif 000003
【図２】
2012042053.tif 000004
【図３】
2012042053.tif 000005
【図４】
2012042053.tif 000006